(57)【要約】【課題】  既設防水パンの撤去に伴う諸問題を解決するとともに、施工性、外観性及び水密性に優れた防水パンの改修方法及び改修された防水パンを提供する。【解決手段】  既設防水パン９の上面に第一の分割部材２１を接着する工程と、第一の分割部材２１と既設防水パン９とを機械的に接合させた機械的接合部を形成する工程と、機械的接合部の設置カ所を含む範囲において第一の分割部材２１の上面に第二の分割部材３１を部分的に重ねて接着したオーバーラップ部１３を形成しつつ、第二の分割部材３１を上記既設防水パン９の上面に接着する工程と、を含む防水パンの改修方法である。【選択図】      図１
2006336221.tif 000002
【特許請求の範囲】
【請求項１】
２つ以上の分割部材によりなるとともに既設防水パンに対応した形状を有する改修用防水パンを用意し、既設防水パンの上面に第一の上記分割部材を接着する工程と、
上記第一の分割部材の一部と上記既設防水パンの一部とを機械的に接合する機械的接合部を形成する機械的接着工程と、
上記第一の分割部材の上面に第二の分割部材を重ねて接着したオーバーラップ部を上記機械的接合部の設置カ所を含む範囲に形成しつつ、上記第二の分割部材を上記既設防水パンの上側に設ける重複接着工程と、
を含むことを特徴とする防水パンの改修方法。
【請求項２】
上記既設防水パンは、浴槽が配置される浴槽配置部と、洗い場を形成する洗い場部とを有しており、
上記改修用防水パンは、上記浴槽配置部を覆う浴槽側分割部材と、上記洗い場部を覆う洗い場側分割部材とを有する分割構造とされ、
上記機械的接合工程においては、上記浴槽側分割部材と上記既設防水パンとを機械的に接合させて機械的接合部を形成し、
上記重複接着工程においては、上記浴槽側分割部材の上面に上記洗い場側分割部材を部分的に重ねて上記オーバーラップ部を形成していることを特徴とする請求項１に記載の防水パンの改修方法。
【請求項３】
上記既設防水パン及び上記改修用防水パンは底面に排水用開口が形成された排水溝を備え、
上記機械的接合部を上記排水溝内に設けることを特徴とする請求項１に記載の防水パンの改修方法。
【請求項４】
上記既設防水パンの左勝手と右勝手とに対応した２つの排水用開口を有する上記改修用防水パンを用いるとともに、不要となる排水用開口を塞ぐ開口閉塞工程を含むことを特徴とする請求項１に記載の防水パンの改修方法。
【請求項５】
既設防水パンの設置現場において当該既設防水パンの上面に改修用防水パンを重ねて接着することにより形成された複層構造の改修済み防水パンであって、
複数に分割されてなる上記改修用防水パンを構成する分割部材同士を部分的に上下に重ねることにより形成されたオーバーラップ部と、
上記オーバーラップ部において最下層を構成する上記分割部材と上記既設防水パンとを貫通する接合用貫通孔と、
上記接合用貫通孔を用いて上記オーバーラップ部の最下層と上記既設防水パンとを機械的に接合する機械的接合部と、
を有することを特徴とする改修済み防水パン。
【発明の詳細な説明】
【技術分野】
【０００１】
本発明は、防水パンの改修方法及び改修済み防水パンに関する。
【背景技術】
【０００２】
たとえばシステムバスルーム等の浴室には、床面に防水パンが使用されている。浴室用の防水パンは、通常、浴槽が配置される浴槽配置部と、洗い場を形成する洗い場部とを有しており、浴槽からの排水と洗い場からの排水とを漏水させることなく排水口に導く役割を果たしている（たとえば、特許文献１参照）。
【特許文献１】特開２００４−１６２３６１号公報
【発明の開示】
【発明が解決しようとする課題】
【０００３】
ところで、長年の使用等で老朽化等した防水パンを改修する場合、従来は、既設の防水パンを撤去した上で新たな防水パンを設置している。しかしながらこの場合は種々の問題がある。
第一に、既設防水パンの撤去作業に伴い騒音や粉塵が発生するという問題がある。新築の住居に防水パンを新設する場合と異なり、防水パンを改修する場合は、住民が居住したまま作業がなされることが多いため、上記騒音や粉塵は大きな問題となる。また、アパートやマンション等の集合住宅で撤去作業をする場合、上記騒音等は周囲の住民に対しても多大な迷惑となる。また、特に住民が居住したまま撤去作業をする場合、住居内に配置された家具等により家の通路や間口が狭くなるため、既設防水パンを切断しなければ撤去できない場合が多い。よって、この切断作業に伴い騒音や粉塵等が更に増加する結果となっている。
第二に、既設防水パンを撤去する場合、撤去された既設防水パンは廃棄物となるため環境上問題であり、既設防水パンの処理費用も必要となる。
第三に、運搬作業の負担が大きいという問題がある。撤去される既設防水パンは、強度を確保すべく裏面側に補強体や補強リブを有しているため重量が大きい。この点は新たに設置される防水パンについても同様である。よって、既設防水パンの搬出及び改修用防水パンの搬入において比較的重量の重い防水パンを運搬しなければならない。
第四に、一般に防水パンは水平を取るため裏面から高さ調整用の支柱ボルトで支持されて設置されているが、防水パンの新設に伴い新たに支柱ボルトの高さ調整を行う必要が生じる。
【０００４】
上記問題を解決するためには、既設防水パンを撤去することなく改修する方法が考えられる。その方法として、既設防水パンの上面にハンドレーアップ成形法により現場施工でＦＲＰ層を形成するという方法（以下、湿式法ともいう）が考えられる。具体的には、既設防水パンの表面を下地処理した後、プライマー塗布、ガラスマット積層及び樹脂含浸塗布、トップコート等を順次行うことにより、既設防水パンの上面にＦＲＰ層を形成する。しかしＦＲＰ層の上面は、ゲルコート方式で成形されたハンドレーアップ成形品やＳＭＣ等金型で成形された樹脂の表面ほど平滑美麗とはならないため、樹脂成型品の防水パンと比較して外観性に劣る。そのため湿式法は、比較的目立たない浴槽配置部には問題なく用いることができるが、外観が目立つ洗い場部に用いられた場合には、外観に関し施主より強い改善希望があった。
【０００５】
以上の点に鑑み、本発明は、既設防水パンの撤去に伴う諸問題を解決するとともに、施工性、外観性及び水密性に優れた防水パンの改修方法及び改修された防水パンを提供することを目的としている。
【課題を解決するための手段】
【０００６】
防水パンの改修方法に係る本発明は、２つ以上の分割部材によりなるとともに既設防水パンに対応した形状を有する改修用防水パンを用意し、既設防水パンの上面に第一の上記分割部材を接着する工程と、上記第一の分割部材の一部と上記既設防水パンの一部とを機械的に接合する機械的接合部を形成する機械的接着工程と、上記第一の分割部材の上面に第二の分割部材を重ねて接着したオーバーラップ部を上記機械的接合部の設置カ所を含む範囲に形成しつつ、上記第二の分割部材を上記既設防水パンの上側に設ける重複接着工程と、を含むことを特徴とする。
【０００７】
上記の改修方法によれば、改修用防水パンで既設防水パンを覆っているので、既設防水パンを撤去する必要がない。また改修用防水パンは分割されているので現場への搬入が容易である。また改修用防水パンは既設防水パンの上に設置されるので、単独で設置される通常の防水パンに要求されるような剛性は不要である。よって裏面リブ等が不要とされ軽量化が可能である。そして、改修用防水パンは既設防水パンに対応した形状とされているので、既設防水パンを改修用防水パンで覆って接着することができる。
【０００８】
また、防水パンには、浴槽や人などによる大きな荷重が作用するため、この荷重により改修用防水パンと既設防水パンとの間で剥離が生じる恐れがある。しかし、上記機械的接合部を設けることにより分割部材と既設防水パンとの接合強度を飛躍的に高めることができ、水密性を向上させることができる。さらに、オーバーラップ部を形成して機械的接合部を第二の分割部材で覆っているので、機械的接合部が露出することがなく、水密性が向上する。また、オーバーラップ部を設けることにより、分割部材同士の継ぎ目における水密性も確保される。
【０００９】
上記既設防水パンは、浴槽が配置される浴槽配置部と、洗い場を形成する洗い場部とを有しており、上記改修用防水パンは、上記浴槽配置部を覆う浴槽側分割部材と、上記洗い場部を覆う洗い場側分割部材とを有する分割構造とされ、上記機械的接合工程においては、上記浴槽側分割部材と上記既設防水パンとを機械的に接合させて機械的接合部を形成し、上記重複接着工程においては、上記浴槽側分割部材の上面に上記洗い場側分割部材を部分的に重ねて上記オーバーラップ部を形成しているのが好ましい。
【００１０】
上述したように、浴槽や人により浴槽配置部や洗い場部には大きな荷重が作用するが、特に浴槽配置部に作用する荷重は過大である。なぜなら、浴槽自体が比較的重い上に、浴槽内には約２００Ｋｇ近いお湯が張られることとなり、更には人が浴槽内のお湯に浸ることとなるからである。よって、改修用防水パンを洗い場側分割部材と浴槽側分割部材とに分割し、特に大きな荷重の作用する浴槽側分割部材を既設防水パンと機械的に接合することで、水密性を更に高めることができる。
【００１１】
上記改修方法において、上記既設防水パン及び上記改修用防水パンは底面に排水用開口が形成された排水溝を備え、上記機械的接合部を上記排水溝内に設けるのが好ましい。
この場合、既設防水パンと改修用防水パンとの間で排水溝部分の水密性が高まるので、この排水溝内に形成された排水用開口における水密性も高まる。
【００１２】
また、上記既設防水パンの左勝手と右勝手とに対応した２つの排水用開口を有する上記改修用防水パンを用いるとともに、不要となる排水用開口を塞ぐ開口閉塞工程を含む改修方法としてもよい。この場合、左勝手用の改修用防水パンと右勝手用の改修用防水パンとを共通化することができる。
【００１３】
また、本発明の改修済み防水パンは、既設防水パンの設置現場において当該既設防水パンの上面に改修用防水パンを重ねて接着することにより形成された複層構造の改修済み防水パンであって、複数に分割されてなる上記改修用防水パンを構成する分割部材同士を部分的に上下に重ねることにより形成されたオーバーラップ部と、上記オーバーラップ部において最下層を構成する上記分割部材と上記既設防水パンとを貫通する接合用貫通孔と、上記接合用貫通孔を用いて上記オーバーラップ部の最下層と上記既設防水パンとを機械的に接合する機械的接合部と、を有することを特徴とするものである。
【発明の効果】
【００１４】
既設防水パンを改修用防水パンで覆うとともに、機械的接合と接着とを併用し、さらにオーバーラップ部により機械的接合部を隠蔽するようにしたので、既設防水パンの撤去を不要とするとともに水密性に優れた防水パンに改修することができる。
【発明を実施するための最良の形態】
【００１５】
以下に、本発明の実施形態を図面を参照しつつ説明する。
図１は、本発明に用いる改修用防水パン１の斜視図である。この改修用防水パン１は、浴槽配置部３を形成する浴槽側分割部材３１（第一の分割部材）と、洗い場部２を形成する洗い場側分割部材２１（第二の分割部材）とを有する２分割構造をなしている。洗い場側分割部材２１の（底面の）上面には、高さ数ｍｍ程度の細かい凹凸よりなる滑り止めパターン４が形成されている。また、浴槽側分割部材３１の（底面の）上面には、排水用開口５と、底面に排水用開口５が形成された排水溝６と、この排水溝６よりも一段高い底面を有し浴槽側分割部材３１の略中央部から排水溝６に排水を導くための排水用凹部７が設けられている。排水用開口５には目皿４４が配置されている。
【００１６】
この改修用防水パン１は、改修される既設防水パン（図１において図示省略）に対応した形状のものとされている。よって、改修用防水パン１は、既設防水パンの上面にほぼ隙間無く重ねることができる。ただし、改修用防水パン１において、防水パン１内部の細かな凹凸（滑り止めパターン等）などは既設防水パンと一致させる必要はない。つまり、全体的な寸法（長辺長さ、短辺長さ、深さ）及び洗い場部２と浴槽配置部３との間の段差（後述する大段差部ｄ１の段差）の位置や高さは略一致させる必要があるが、滑り止めパターン４や排水用凹部７の配置などは一致させなくてもよい。改修用防水パン１は既設防水パンの内側に取り付けられるから、改修用防水パン１の上記長辺長さ、短辺長さなどは、既設防水パンの長さよりも若干小さくなる。なお、改修用防水パン１と既設防水パンとの間の隙間には接着剤を塗布するので、両者の間の若干の（たとえば数ｍｍ程度の）寸法誤差は許容される。既設防水パン９の形状に対応した改修用防水パン１の成型法は、ＦＲＰ成形業界の公知慣例の手法が用いられる。例えばハンドレーアップ成形品やスプレーアップ成型品などは、木型からマスター型を作成し、そして量産型により製品を生産する。またＳＭＣやＢＭＣなどの成型品は金型を作成し高温プレス成形する。
なお、改修用防水パン１用のマスターや金型などの形状を既設防水パン９に対応させる方法としては、たとえば既設防水パンの現物を採寸したり、既設防水パンの現物を３次元測定してＣＡＤ及びＣＡＭを用いて金型やマスターを作製したり、既設防水パン用の成形金型を改修したりする手法が考えられる。
【００１７】
図２は、既設防水パンの上面を改修用防水パン１で覆うことにより形成された改修済み防水パン８を上から見た図であり、図３は図２のＡ−Ａ線における断面図であり、図４は図２のＢ−Ｂ線における断面図である。図２及び図３で示すように、既設防水パン９と略一致した形状の改修用防水パン１により、既設防水パン９の上面全面が覆われている。したがって図２は、改修済み防水パン８の平面図であるとともに改修用防水パン１の平面図でもある。改修済み防水パン８の洗い場部８ａと浴槽配置部８ｂとの間には大段差部ｄ１が設けられており、この大段差部ｄ１により洗い場部８ａは浴槽配置部８ｂよりも一段高くなっている。そして、既設防水パン９の平面図及び斜視図も、滑り止めパターン４などの細かい凹凸を除き図１，図２とほぼ同様となる。既設防水パン９も、改修用防水パン１や改修済み防水パン８と同様に、洗い場部と浴槽配置部とを有している（図示省略）。ただし既設防水パン９では、排水用開口は１つである。
【００１８】
図１に示すように、改修用防水パン１は２つの排水用開口５を有している。すなわち改修用防水パン１は、左勝手の既設防水パン９の排水用開口に対応して配置された第一の排水用開口５と、右勝手の既設防水パン９の排水用開口に対応して配置された第二の排水用開口５とを有している。アパートやマンション等の集合住宅などでは、左右対称の間取りを有する住宅が混在しているため、排水用開口の位置のみが異なり他の寸法等が同一な２種類の防水パンが用いられている場合が多い。この２種類の防水パンを一般に左勝手及び右勝手と称して区別している。改修用防水パン１では、既設防水パン９の左勝手と右勝手とに対応した２つの排水用開口５を有しているから、１種類の改修用防水パン１で右勝手の既設防水パン９にも左勝手の既設防水パン９にも対応することができる。２つの排水用開口５のうちの一方側は最終的には不要となるので、図２及び後述の図５に示すように排水用開口５の形状に対応した円板状の蓋部材１８で不要な排水用開口５を塞ぐ。
【００１９】
図２及び図３に示すように、改修済み防水パン８の下側に配置された既設防水パン９の裏面には補強リブ１０が設けられている。また既設防水パン９は、建築物の床面１２に立設され高さ調整可能な支柱ボルト（アジャスターボルト）１１により裏面から支持されつつ固定されている。支柱ボルト１１は既設防水パン９を水平とするために設けられており、既設防水パン９が設置された当時に設けられたものである。
これに対して改修用防水パン１は断面略板状の部材であり、補強リブ１０を有していない。これは、改修用防水パン１が単独で用いられるのではなく、既設防水パン９に重ねて配置されるためである。本来防水パンは、湯を張った浴槽や人を載せた際の荷重に耐えうる程度の剛性が必要であるため、補強リブ１０等が必須であるが、改修用防水パン１は、既設防水パン９の剛性を利用することができるので補強リブ１０等の補強部を必要としない。よって改修用防水パン１は、従来の（通常の）防水パンよりも格段に軽量である。
【００２０】
図５〜図７は、排水溝６近傍における改修済み防水パン８の断面図であり、図５はＤ−Ｄ線における断面図、図６はＣ−Ｃ線における断面図、図７はＢ−Ｂ線における断面図である。図６で示すように、洗い場側分割部材２１と浴槽側分割部材３１とを部分的に重ねたオーバーラップ部１３において洗い場側分割部材２１と浴槽側分割部材３１とが接着されている。なお、図５及び図６の黒塗り部分は、比較的厚く塗られた接着剤を示す。
【００２１】
オーバーラップ部１３は、排水溝６に沿って、排水溝６と略同一の範囲に設けられている。そして、オーバーラップ部１３においては、洗い場側分割部材２１の下側（内側）に浴槽側分割部材３１が配置されている。換言すれば、オーバーラップ部１３においては、最下層の既設防水パン９と接しているのは浴槽側分割部材３１であり、この浴槽側分割部材３１の上側（外側）に洗い場側分割部材２１が重ねて配置されている。つまり、浴槽側分割部材３１がオーバーラップ部１３の最下層を構成している。
【００２２】
図６に示すように、洗い場側分割部材２１のうちオーバーラップ部１３を構成する部分は、排水溝６の底面を構成し略水平に延びる表側水平重複部２１ａと、この表側水平重複部２１ａの洗い場部側縁部から略垂直方向に延びる表側立上り重複部２１ｂとを有している。また、浴槽側分割部材３１のうちオーバーラップ部１３を構成する部分は、
上記洗い場側分割部材２１の裏側（下側）に配置され略水平に延びる裏側水平重複部３１ａと、この裏側水平重複部３１ａの洗い場部側縁部から略垂直方向に延びる裏側立上り重複部３１ｂとを有している。オーバーラップ部１３は、略水平部（表側水平重複部２１ａと裏側水平重複部３１ａ）のみならず略垂直部（表側立上り重複部２１ｂと裏側立上り重複部３１ｂ）を有しているので、洗い場部２と浴槽配置部３との接合部における水密性が高くなっている。
【００２３】
既設防水パン９は、改修用防水パン１の排水溝６に対応した形状の既設パン排水溝１４を有している。そして、この既設パン排水溝１４の底面部１４ａの上面に裏側水平重複部３１ａが接着され、さらに裏側水平重複部３１ａの上面に表側水平重複部２１ａが接着されている。また、既設パン排水溝１４の底面部１４ａと、裏側水平重複部３１ａと、表側水平重複部２１ａとはそれぞれ平坦である。よって、排水溝６部分においては平坦な部材が３層接着されていることになる。排水用開口５は排水溝６の内部に設けられているから、この排水溝６部分で層間の隙間が大きいと、当該隙間に排水用開口５の周囲から水が侵入する恐れがある。しかし、上述したように排水溝６部分は平坦な層同士を接着しているから、排水溝６部分における層間隙間は最小限とされ、水密性の向上に寄与している。
【００２４】
浴槽側分割部材３１の裏側水平重複部３１ａと、既設パン排水溝１４の底面部１４ａとは、接着剤による接着に加え、機械的接合部により接合されている。この機械的接合部として、リベット１５が用いられている。リベット１５は、排水溝６の内部に配置されている。具体的には図２に示すように、リベット１５は排水溝６の長手方向所定間隔おきに設けられるとともに、排水用開口５の周囲における周方向所定間隔おきに（図１では周方向９０度おきに）設けられている。なお、図２では周方向９０度おきに４個のリベット１５が設けられているが、むろん４個以上でもよい。
【００２５】
リベット１５は、浴槽側分割部材３１（の裏側水平重複部３１ａ）及び既設防水パン９（の底面部１４ａ）を貫通しているが、洗い場側分割部材２１（の表側水平重複部２１ａ）は貫通していない。よって、リベット１５及びリベット１５を貫通させるための接合用貫通孔１６は、洗い場側分割部材２１（の表側水平重複部２１ａ）により覆われている。よってリベット１５や接合用貫通孔１６が外部に露出することがないため、水密性が向上している。
【００２６】
なおリベット１５としては、ブラインドリベットを用いている。ブラインドリベットを用いることにより、表側（浴槽側分割部材３１の上側）からの作業のみでリベット１５を取り付けることができる。このように、防水パン裏側からの作業を必要とせず、防水パン表側からの作業で取り付け可能な機械的接合部を用いると、機械的接合作業が容易となるので好ましい。
【００２７】
既設防水パン９を改修して改修済み防水パン８とするための改修工程の概要を順を追って説明すると以下のようになる。
（１）既設防水パンの浴槽配置部上に配置された浴槽を撤去する。
（２）既設防水パンと壁との隙間をシールするシール部分を撤去する。
（３）中性洗剤や水等を用いて、既設防水パンの表面を洗浄する。
（４）既設防水パンの表面を研磨する。また、研磨後アセトンで表面を拭いて油脂等を取り除く。
（５）既設防水パンの浴槽配置部上に接着剤を塗布する。接着剤は、既設防水パンの浴槽配置部の凸部上に主として塗布する。
（６）次の（６−１）、（６−２）又は（６−３）のいずれか１つ又はこれらの組み合わせを採用しうる。
（６−１）既設パン排水溝１４の底面部１４ａの上面に接着剤を塗布する。接着剤としては、グリス状又はパテ状の弾性エポキシ系接着剤などが好適である。
（６−２）既設パン排水溝１４の底面部１４ａの上面にＦＲＰ層を形成する。
（６−３）既設パン排水溝１４の底面部１４ａの上面に、両面接着するブチル系非加硫ゴムシートを接着剤として配設する。
上記（６―２）において、ＦＲＰ層を形成する場合は、底面部１４ａと略同幅にカットされたガラスマットを当該底面部１４ａに敷設し、このガラスマットに硬化剤を混合した樹脂を塗布含浸させる。そして、樹脂が半硬化状態の間に排水用開口（ドレイン部）に沿ってカッターナイフでＦＲＰ層を切除する。
また、上記（６−３）において、排水用開口に対応する部分は、当該排水用開口に沿ってゴムシートをカッターナイフで切除する。
（７）既設防水パン９の浴槽配置部上に洗い場側分割部材２１を載せ、既設防水パン９と洗い場側分割部材２１とを重ね合わせつつ接着する。
（８）浴槽側分割部材３１における洗い場部側縁部３１ｃ（図６参照）を覆うように両面粘着パッキンを貼り付ける（図示省略）。
（９）排水溝６内の複数カ所に接合用貫通孔１６を開け、各接合用貫通孔１６にリベット１５を挿入し、このリベット１５で裏側水平重複部３１ａと既設パン排水溝１４の底面部１４ａとを機械的に接合する。
（１０）既設防水パン９の洗い場部上面に接着剤を塗布した後、洗い場側分割部材２１を被せて、既設防水パン９（及び、浴槽側分割部材３１の裏側水平重複部３１ａ、裏側立上り重複部３１ｂ）と洗い場側分割部材２１とを接着する。
（１１）蓋部材１８で不要な排水用開口５を塞ぐ（図５参照）。
（１２）防水パンの周縁部と壁との間の取り合い部を形成する。
（１３）排水溝６の周囲をシリコンコーキングでシール処理する。
（１４）上記壁との取り合い部をシール処理する。
【００２８】
なお、上記改修工程で記載した壁との取り合い部の構造は２種類に大別されるので、それぞれについて以下に説明する。
第一の取り合い部構造は、図３及び図４で示す構造である。図４の円内の拡大図を図８で示す。ここでは、図８に示すように、浴室の壁１７が建築物の床面１２にまで至っており、改修済み防水パン８の周縁が浴室の壁１７の表面に当接している。この場合は、既設防水パン９と壁１７との間をシールする既存の防水シール４０の上に、新たな防水シール４１（図８において黒塗りで示す）を設けて、改修用防水パン１と壁１７との間をシール処理する。
これに対して、施工現場によっては上記第一の取り合い部構造と異なる第二の取り合い部構造を有する場合がある。この第二の取り合い部構造は、図９に示すように、浴室の壁１７が建築物の床面１２にまで至っておらず、既設防水パン９の周縁立上り部９ａの上端から更に水平に延びる水平縁部９ｂの上側に壁１７の下端が配置されている構造である。この場合はまず、洗い場側分割部材２１の周縁立上り部２１ｃの上端から水平に延びる水平縁部２１ｄ（図８参照）を切断する。そして、断面略Ｌ字形状を有する壁取合カバー４２が、洗い場側分割部材２１の周縁立上り部２１ｃの上端部分から既設防水パン９の水平縁部９ｂにかけての部分を覆いつつ接着される。
【００２９】
上記の実施形態では、改修用防水パン１で既設防水パン９の全面を覆ったが、改修用防水パン１で既設防水パン９の一部を覆っても良い。たとえば、比較的目立つ部分である洗い場部を改修用防水パンで覆い、浴槽の視角となって比較的目立たない浴槽配置部には改修用防水パンで覆われない部分を設けても良い。具体的には、上記実施形態の改修用防水パン１のうち浴槽側分割部材３１は用いることなく、洗い場側分割部材２１を改修用防水パンの第一の分割部材としてもよい。この場合、たとえば、洗い場側分割部材２１の排水溝形成部（上記実施形態における表側水平重複部２１ａ）と、既設防水パン９における既設パン排水溝１４の底面部１４ａとを機械的に接合し、この機械的接合部をＦＲＰの平板よりなる分割部材（第二の分割部材）で覆うようにしてもよい。この第二の分割部材は、たとえば排水溝６の底面部と略同一の形状を有する平板状部材とすることができる。
【００３０】
なお、浴室のサイズ（内寸）は比較的規格化されており、それに伴い防水パンの寸法もある程度共通化されている。たとえば、従来の住宅・都市整備公団が建設した集合住宅の防水パンとしては、たとえば長辺長さが１７５０ｍｍで、短辺長さが１１５０ｍｍのものが多用されている。よって１種類の改修用防水パン１により相当数の浴室を改修可能である。また、既設防水パンには主としてＦＲＰ製のものとステンレス製のものとがあるが（ＪＩＳ  Ａ  ４４１９参照）、本発明では既設防水パンの材質は特に限定されない。ただし、既設防水パンがＦＲＰ製の場合は、ＦＲＰ製の改修用防水パンとの接着強度が比較的強くなる点において好ましい。
【図面の簡単な説明】
【００３１】
【図１】本発明の一実施形態における改修用防水パンの斜視図である。
【図２】本発明の一実施形態における改修済み防水パンの平面図である。
【図３】図２のＡ−Ａ線における断面図である。
【図４】図２のＢ−Ｂ線における断面図である。
【図５】図２のＤ−Ｄ線における排水溝近傍の断面図である。
【図６】図２のＣ−Ｃ線における排水溝近傍の断面図である。
【図７】図２のＢ−Ｂ線における排水用開口近傍の断面図である。
【図８】壁との取り合い部の一例を示す断面図である。
【図９】壁との取り合い部の他の一例を示す断面図である。
【符号の説明】
【００３２】
１    改修用防水パン
２    洗い場部
２１  洗い場側分割部材（第二の分割部材）
３    浴槽配置部
３１  浴槽側分割部材（第一の分割部材）
５    排水用開口
６    排水溝
８    改修済み防水パン
９    既設防水パン
１３  オーバーラップ部
１５  リベット（機械的接合部）
１６  接合用貫通孔
【図１】
2006336221.tif 000003
【図２】
2006336221.tif 000004
【図３】
2006336221.tif 000005
【図４】
2006336221.tif 000006
【図５】
2006336221.tif 000007
【図６】
2006336221.tif 000008
【図７】
2006336221.tif 000009
【図８】
2006336221.tif 000010
【図９】
2006336221.tif 000011